(57)【特許請求の範囲】
【請求項１】
屈曲可能なガイド用芯管(11)の表面に剥離可能な可撓性保護層(12)を被覆した二重ガイド管(1) と、前記ガイド用芯管(11)に挿通されるワイヤガイドコイル(2) と、一端が雄ねじ筒部(31)に形成され他端には前記ガイド用芯管(11)の端部を係脱自在とするワンタッチ式チャック機構(32)が回動自在に取付けられている一対の管継手(3) と、一端が外部機械との連結用筒部(41)に形成され他端は前記管継手(3) の雄ねじ筒部(31)を螺合させる継手側雌ねじ筒部(42)に形成された組付用管継手(4) とよりなる溶接用ワイヤ供給路構成部材を用い、溶接工場において、二重ガイド管(1) の長さがワイヤ供給機と溶接機へのワイヤ送給機との間隔に合わせて切断されるとともに両端の可撓性保護層(12)が剥除されてガイド用芯管(11)の端部(11a) 、(11a) が露呈しており、この端部(11a) 、(11a) に管継手(3) 、(3)が前記ワンタッチ式チャック機構(32)により連結されるとともに前記雄ねじ筒部(31)と継手側雌ねじ筒部(42)との螺合により該管継手(3) 、(3) に組付用管継手(4) 、(4) が連結され、さらに、ガイド用芯管(11)には両端が前記組付用管継手(4)の連結用筒部(41)に達する長さに切断したワイヤガイドコイル(2) が挿通されたものとしたことを特徴とする溶接用ワイヤ供給管。
【発明の詳細な説明】
【０００１】
【発明の属する技術分野】
本発明は、ワイヤ供給機と溶接機とを接続してワイヤ供給機から溶接機へワイヤを供給するための溶接用ワイヤ供給路を構成する溶接用ワイヤ供給管に関するものである。
【０００２】
【従来の技術】
自動溶接や半自動溶接ではワイヤをワイヤ供給機から溶接機に連続的に送給し、溶接機において被溶接母材とワイヤとの間をアークさせてワイヤを溶融させ、この溶融物により被溶接物の接合を行なっているが、最近のように溶接をロボットにより行なうようになると、ワイヤも相当時間にわたる連続送給が必要なために２００Kg程度の大容量の巻ワイヤが使用する必要がある。その結果、ワイヤ供給機と溶接機へのワイヤ送給機との間隔も長くなり、ワイヤ供給機とワイヤ送給機との間に溶接用ワイヤ供給路を構成しておく必要がある。ところが、溶接工場によりワイヤ供給機とワイヤ送給機との設置関係が異なるために、このような溶接用ワイヤ供給路は特注により各現場に対応したものを設計、製作のうえ溶接工場へ運び込んでワイヤ供給機とワイヤ送給機に組み付けているため、納期が長くなるうえに、特注を受ける側も多くの部品を常備しておく必要があって在庫管理に手間を要するため、高価となるなどの問題があった。
【０００３】
【発明が解決しようとする課題】
本発明が解決しようとするところは上記のような従来の問題点を解決して、ワイヤ供給機と溶接機へのワイヤ送給機との設置関係が異なっていても簡単且つ安価でワイヤ供給機からワイヤ送給機へのワイヤ供給路を構成することができる溶接用ワイヤ供給管を提供することにある。
【０００４】
【課題を解決するための手段】
上記の課題を解決するためになされた本発明は、屈曲可能なガイド用芯管の表面に剥離可能な可撓性保護層を被覆した二重ガイド管と、前記ガイド用芯管に挿通されるワイヤガイドコイルと、一端が雄ねじ筒部に形成され他端には前記ガイド用芯管の端部を係脱自在とするワンタッチ式チャック機構が回動自在に取付けられている一対の管継手と、一端が外部機械との連結用筒部に形成され他端は前記管継手の雄ねじ筒部を螺合させる継手側雌ねじ筒部に形成された組付用管継手とよりなる溶接用ワイヤ供給路構成部材を用い、溶接工場において、二重ガイド管の長さがワイヤ供給機と溶接機へのワイヤ送給機との間隔に合わせて切断されるとともに両端の可撓性保護層が剥除されてガイド用芯管の端部が露呈しており、この端部に管継手が前記ワンタッチ式チャック機構により連結されるとともに前記雄ねじ筒部と継手側雌ねじ筒部との螺合により該管継手に組付用管継手が連結され、さらに、ガイド用芯管には両端が前記組付用管継手の連結用筒部に達する長さに切断したワイヤガイドコイルが挿通されたものとしたことを特徴とする溶接用ワイヤ供給管である。
【０００５】
【発明の実施の形態】
以下に、本発明の好ましい実施の形態を図面を参考にして詳細に説明する。図において１はシリコン樹脂などの強靱で屈曲可能な半硬質の合成樹脂よりなるガイド用芯管１１の表面に合成ゴムなどの可撓性保護層１２を剥離可能に被覆した二重ガイド管であって、この二重ガイド管１は常時は巻物とされて保管される長尺のものであるが、必要に応じて所要の長さに切断されたうえ両端部分にある可撓性保護層１２を剥除してガイド用芯管１１の端部１１ａ、１１ａが露呈された状態で使用される。２は二重ガイド管１の前記ガイド用芯管１１に挿通される耐摩耗性に優れた強靱な金属よりなるワイヤガイドコイルであって、このワイヤガイドコイル２も常時は巻物とされて保管される長尺のものであるが、必要に応じて切断した二重ガイド管１よりやや長い後記するような長さに切断して使用するものである。
【０００６】
３、３は二重ガイド管１のガイド用芯管１１の端部１１ａ、１１ａに連結される管継手で、各管継手３はその一端が雄ねじ筒部３１に形成されるとともに、他端には前記ガイド用芯管１１の端部１１ａを係脱自在とするワンタッチ式チャック機構３２が回動自在に取付けられている。なお、このワンタッチ式チャック機構３２は管継手３の他端にガイド用芯管１１の端部１１ａを挿し込めば自動的にこれをチャックするが、ロック解除機構の操作によりチャックが解かれてガイド用芯管１１の端部１１ａとの係合が解かれるものであれば特に限定されるものではないが、この実施例で使用したものはワンタッチ式管継手ＫＲＨなる商品名で市販されたもので、管継手３の他端に引込み操作でロックが解除されるロック解除機構を回動自在に嵌装したものとしている。４、４はポリアミド樹脂などの強靱な硬質の合成樹脂よりなる組付用管継手であって、この組付用管継手４、４は一端が外部機械である溶接機へのワイヤ送給機の受入口とワイヤ供給機の送給口との連結用筒部４１に形成されるとともに、他端は前記管継手３、３の雄ねじ筒部３１、３１を螺合させる継手側雌ねじ筒部４２、４２に形成され、中間にはワイヤ挿通孔付きの仕切壁が形成されたものとしている。なお、前記連結用筒部４１はその内面に雌ねじが形成されたものとしている。
【０００７】
このように構成された各部品は、溶接工場より溶接用ワイヤ供給路を受注すると、溶接工場にそのまま持ち込んで、二重ガイド管１の長さをワイヤ供給機５と溶接機へのワイヤ送給機６との間隔に合わせて切断するとともに、両端の可撓性保護層１２を剥除してガイド用芯管１１の端部１１ａ、１１ａを露呈させ、この端部１１ａ、１１ａを管継手３、３の前記ワンタッチ式チャック機構３２、３２に挿込んで各ワンタッチ式チャック機構３２により各管継手３をガイド用芯管１１の端部１１ａ、１１ａに連結する。次に、溶接機へのワイヤ送給機６の受入口に対応する継手側雌ねじ筒部４２と、ワイヤ供給機５の送給口に対応する継手側雌ねじ筒部４２を備えた組付用管継手４、４を用意し、この組付用管継手４、４を管継手３、３の一端の雄ねじ筒部３１、３１に螺合させて該管継手３、３に組付用管継手４、４を連結したら、ワイヤガイドコイル２をガイド用芯管１１に挿通させる。このワイヤガイドコイル２は長尺のものであるが、ガイド用芯管１１に挿通させる前にこのワイヤガイドコイル２を挿通時には両端が組付用管継手４、４の中間に形成されている前記したワイヤ挿通孔付きの仕切壁を若干超える程度の長さとなるように切断したものとしておく。なお、前記組付工程において、ワイヤ送給機の受入口に連結する組付用管継手４と管継手３とは予めねじ込み一体化されたものとしておいてもよい。
【０００８】
このようにしてワイヤ供給機と溶接機へのワイヤ送給機との間隔に対応する長さで且つ両端に管継手３、３を介して組付用管継手４、４が連結された二重ガイド管１のガイド用芯管１１にワイヤガイドコイル２が挿通されたならば、一端の組付用管継手４の連結用筒部４１をワイヤ供給機５のワイヤ送供口にねじ込んで連結するとともに、他端の組付用管継手４の連結用筒部４１をワイヤ送給機６のワイヤ受入口にねじ込み連結すれば、ここに簡単にワイヤ供給機５とワイヤ送給機６とを結ぶ溶接用ワイヤ供給路が構成されることとなるもので、ワイヤ供給機５とワイヤ送給機６と間の長さや取付角度などがどのようなものであっても、二重ガイド管１の長さを現場に合わせて切断し、即座に組み付けできるようにして対応できるようにしたので、納期が短くなるうえに、注文を受ける業者も多くの部品を常備しておく必要がないので在庫管理に手間を要することがなく、迅速且つ安価に溶接用ワイヤ供給路を提供できることとなる。
【０００９】
【発明の効果】
本発明は以上の説明からも明らかなように、ワイヤ供給機とワイヤ送給機との設置関係がいかなる場合であっても両者間に溶接用ワイヤ供給路を迅速且つ安価に構成できる利点がある。従って、本発明は従来のこの種の問題点を解決した溶接用ワイヤ供給管として業界の発展に寄与するところ極めて大きいものがある。
【図面の簡単な説明】
【図１】本発明の好ましい実施の形態を示す分解状態の斜視図である。
【図２】本発明の好ましい実施の形態の１例を示す使用状態図である。
【符号の説明】
１ 二重ガイド管
２ ワイヤガイドコイル
３ 管継手
４ 組付用管継手
11 ガイド用芯管
11a 端部
12 可撓性保護層
31 雄ねじ筒部
32 ワンタッチ式チャック機構
41 連結用筒部
42 継手側雌ねじ筒部
【図１】
0004255147.tif 000002
【図２】
0004255147.tif 000003